(57)【要約】【課題】遠隔から保安器の劣化情報を収集してメンテナンスの容易化を図る。【解決手段】無線通信機能付きの保安器１は、被保護機器の線路に接続されたジャックと、前記ジャックに対して着脱自在に装着されるプラグと、前記プラグに着脱自在に装着される無線制御部３０，４０とを備えている。前記プラグは、前記線路に侵入する雷サージを大地に放電する保安回路１０と、制御信号に基づき前記保安回路１０の劣化状態を検出してこの劣化情報を出力する劣化検出回路２０とを有している。前記無線制御部３０，４０は、外部から電波で送られてくるデータ要求信号を受信し、前記データ要求信号が自己宛のときには、前記制御信号を前記劣化検出回路２０に与えて前記劣化検出回路２０から出力された前記劣化情報を無線により前記外部へ発信し、前記データ要求信号が自己宛でないときには、受信した前記データ要求信号を無線により前記外部へ転送する。【選択図】図１
2007071845.tif 000002
【特許請求の範囲】
【請求項１】
被保護機器の線路に接続されたジャックと、
前記ジャックに対して着脱自在に装着され、前記線路に侵入する雷サージを大地に放電する保安回路と、制御信号に基づき前記保安回路の劣化状態を検出してこの劣化情報を出力する劣化検出回路とを有するプラグと、
前記プラグに着脱自在に装着され、外部から電波で送られてくるデータ要求信号を受信し、前記データ要求信号が自己宛のときには、前記制御信号を前記劣化検出回路に与えて前記劣化検出回路から出力された前記劣化情報を無線により前記外部へ発信し、前記データ要求信号が自己宛でないときには、受信した前記データ要求信号を無線により前記外部へ転送する無線制御部と、
を備えたことを特徴とする保安器。
【請求項２】
被保護機器の線路に接続されたジャックと、
前記ジャックに対して着脱自在に装着され、前記線路に侵入する雷サージを大地に放電する保安回路を有するプラグと、
前記プラグに着脱自在に装着され、制御信号に基づき前記保安回路の劣化状態を検出してこの劣化情報を出力する劣化検出回路と、外部から電波で送られてくるデータ要求信号を受信し、前記データ要求信号が自己宛のときには、前記制御信号を前記劣化検出回路に与えて前記劣化検出回路から出力された前記劣化情報を無線により前記外部へ発信し、前記データ要求信号が自己宛でないときには、受信した前記データ要求信号を無線により前記外部へ転送する無線部と、を有する無線制御部と、
を備えたことを特徴とする保安器。
【請求項３】
請求項１又は２記載の保安器と、
前記保安器における前記劣化情報を収集するときには、無線により前記データ要求信号を発信し、これに応答して無線により返送されてくる前記劣化情報を受信する操作端末と、
を備えたことを特徴とする保安器劣化検出システム。
【請求項４】
請求項１又は２記載の保安器と、
前記保安器における前記劣化情報を収集するときには、無線により前記データ要求信号を送信し、これに応答して無線により返送されてくる前記劣化情報を受信する操作端末と、
無線により送られてくる前記データ要求信号及び前記劣化情報を受信して無線により転送する中継端末と、
を備えたことを特徴とする保安器劣化検出システム。
【請求項５】
前記無線の通信方法は、アドホック通信或いはマルチホップ通信であることを特徴とする請求項３又は４記載の保安器劣化検出システム。
【発明の詳細な説明】
【技術分野】
【０００１】
本発明は、設備機器等を雷サージから保護する保安器の劣化状態を遠隔から監視するための劣化状態検出機能付きの保安器と、それを用いた保安器劣化検出システムに関するものである。
【背景技術】
【０００２】
電源線路や通信線路には、過大電流の雷サージから設備機器等を保護するために保安器が配設されている。保安器は、例えば、アレスタやバリスタ等から構成されており、電源線路や通信線路に侵入する雷サージを大地（接地）に放電するよう動作する。アレスタやバリスタ等は、度重なる過大電流の通電等により劣化した場合、機能が失われ、設備機器等が保護されなくなる。そのため、定期的に保安器の性能をチェックし、必要に応じて交換する等のメンテナンス（保守点検）を行うために、劣化検出機能付きの保安器が提案されている。
【０００３】
この種の保安器としては、劣化状態を漏れ電流により検出してこの検出結果を保安器筐体に設けた発光ダイオード（ＬＥＤ）等の表示部により点灯する構造のものや、雷サージを受けた回数をカウント（計数）してこのカウント数を保安器筐体に設けた表示部により表示するもの等がある。
【０００４】
ところが、この種の保安器では、保安器の表示部を目視して劣化状態を確認するようになっているので、次のような不具合がある。即ち、保守者は、保安器が設定されている場所まで移動し、保安器の表示部を確認することとなる。保安器は、大型の収容ラック等に縦横に多数多段に収容されている場合もあり、この場合、上段部の保安器を確認するとなると、脚立を用意し、脚立に上って保安器の表示部を目視しなければならず、作業が面倒で手間取るという不都合がある。又、保安器が人の入りにくい狭い場所に設置されていたり、他の装置と一体に内蔵されている場合も、保安器の表示部の確認に手間取る。
【０００５】
そこで、このような不都合を解消するために、例えば、下記の特許文献１〜３では、保安器に通信機能を設けて劣化情報を外部へ送信し、これを外部の監視装置で受信して保安器の劣化状態を監視するようにしている。
【０００６】
【特許文献１】特開平８−１７８９９０号公報
【特許文献２】特開２００１−２３４７９号公報
【特許文献３】特開２００４−３７１６９号公報
【発明の開示】
【発明が解決しようとする課題】
【０００７】
しかしながら、従来の特許文献１〜３のような通信機能付きの保安器とそれを用いた保安器劣化検出システムでは、次の（ａ）〜（ｃ）のような課題があった。
【０００８】
（ａ）  従来の通信機能付きの保安器では、アレスタやバリスタ等の保安器本体が劣化した場合、通信機能付きの保安器全体を交換しなければならないので、無駄が多く、しかも、交換作業も煩雑である。
【０００９】
（ｂ）  外部の監視装置では、例えば、保安器と１：１の無線通信を行って全ての保安器から劣化情報を収集する構成のものがあるが、このようなシステムでは、無線の届きにくい所に保安器がある場合（例えば、保安器が金属製のキュービクル等の内部に設置されてシールドされていたり、或いは、装置や壁等の陰になって無線通信ができない場合等）、劣化情報の収集漏れが懸念される。
【００１０】
（ｃ）  従来の保安器劣化検出システムでは、比較的簡単な構成で、信頼性があり、しかも、効率よく、保安器からの劣化情報を収集することが困難であった。
【課題を解決するための手段】
【００１１】
本発明の内の請求項１に係る発明の保安器は、被保護機器の線路に接続されたジャックと、前記ジャックに対して着脱自在に装着されるプラグと、前記プラグに着脱自在に装着される無線制御部とを備えている。
【００１２】
前記プラグは、前記線路に侵入する雷サージを大地に放電する保安回路と、制御信号に基づき前記保安回路の劣化状態を検出してこの劣化情報を出力する劣化検出回路とを有している。更に、前記無線制御部は、外部から電波で送られてくるデータ要求信号を受信し、前記データ要求信号が自己宛のときには、前記制御信号を前記劣化検出回路に与えて前記劣化検出回路から出力された前記劣化情報を無線により前記外部へ発信し、前記データ要求信号が自己宛でないときには、受信した前記データ要求信号を無線により前記外部へ転送するものである。
【００１３】
請求項２に係る発明の保安器は、被保護機器の線路に接続されたジャックと、前記ジャックに対して着脱自在に装着され、前記線路に侵入する雷サージを大地に放電する保安回路を有するプラグと、前記プラグに着脱自在に装着される無線制御部とを備えている。
【００１４】
前記無線制御部は、制御信号に基づき前記保安回路の劣化状態を検出してこの劣化情報を出力する劣化検出回路と、外部から電波で送られてくるデータ要求信号を受信し、前記データ要求信号が自己宛のときには、前記制御信号を前記劣化検出回路に与えて前記劣化検出回路から出力された前記劣化情報を無線により前記外部へ発信し、前記データ要求信号が自己宛でないときには、受信した前記データ要求信号を無線により前記外部へ転送する無線部とを有している。
【００１５】
請求項３に係る発明の保安器劣化検出システムは、請求項１又は２記載の保安器と、操作端末とを備えている。前記操作端末は、前記保安器における前記劣化情報を収集するときには、無線により前記データ要求信号を発信し、これに応答して無線により返送されてくる前記劣化情報を受信する端末である。
【００１６】
請求項４に係る発明の保安器劣化検出システムは、請求項１又は２記載の保安器と、前記保安器における前記劣化情報を収集するときには、無線により前記データ要求信号を送信し、これに応答して無線により返送されてくる前記劣化情報を受信する操作端末と、無線により送られてくる前記データ要求信号及び前記劣化情報を受信して無線により転送する中継端末とを備えている。
【００１７】
請求項５に係る発明の保安器劣化検出システムでは、請求項３又は４記載の無線の通信方法として、アドホック通信或いはマルチホップ通信を用いている。
【発明の効果】
【００１８】
請求項１、２に係る発明によれば、保守者は、例えば、保安器の近傍まで行くことなく遠隔から、手元の無線端末等で保安器の劣化情報を収集することができ、即座に交換しなければならない保安器を識別できるので、メンテナンス時間を大幅に短縮できる。特に、劣化検出を外部からのデータ送信要求があった時に実施するようにすれば、保安器の劣化抑制、消費電力量の削減等が可能になる。更に、保安回路を有するプラグが劣化した場合、このプラグをジャックから引き抜いて新たなプラグをジャックに差し込むだけで、簡単に修理できる。この際、ジャックや無線制御部が故障していなければ、そのまま使用できるので、無駄が無い。
【００１９】
請求項３、４、５に係る発明によれば、複数箇所に配設された無線通信機能を有する保安器に対し、操作端末から直接又は中継端末を介して、全ての保安器の劣化情報を収集するようにしているので、比較的簡単な構成で、信頼性が高く、効率良く、全ての保安器からの劣化情報を収集できる。特に、アドホック通信或いはマルチホップ通信により情報を伝送する構成にすれば、伝送経路上に無線通信障害物があっても、途中の保安器や中継端末を経由して情報が届くので、劣化情報の収集漏れを大幅に減少できる。
【発明を実施するための最良の形態】
【００２０】
保安器劣化検出システムでは、無線通信機能を有する保安器と、前記保安器における前記劣化情報を収集するときには、無線により前記データ要求信号を送信し、これに応答して無線により返送されてくる前記劣化情報を受信する操作端末と、無線により送られてくる前記データ要求信号及び前記劣化情報を受信して無線により転送する中継端末とを備えている。
【実施例１】
【００２１】
（実施例１の構成）
図１（Ａ）〜（Ｄ）は、本発明の実施例１を示す劣化状態検出機能付きの保安器の概略の構成図であり、同図（Ａ）は全体の回路図、同図（Ｂ）は同図（Ａ）中の保安回路の回路図、同図（Ｃ）は同図（Ａ）中の劣化検出回路の回路図、及び同図（Ｄ）は同図（Ａ）中の制御回路の回路図である。
【００２２】
図１（Ａ）に示す劣化状態検出機能付きの保安器１は、雷サージから被保護機器（例えば、設備機器）を保護するためにこの電源線路や通信線路（以下単に「線路」という。）Ｌ１，Ｌ２に接続されるものであり、例えば、保安回路１０、劣化検出回路２０、制御回路３０、及び無線機４０により構成されている。
【００２３】
保安回路１０は、線路Ｌ１，Ｌ２に侵入する雷サージを大地に放電する回路であり、この保安回路１０に劣化検出回路２０が接続されている。劣化検出回路２０は、外部からデータ要求があったときに、制御回路３０から与えられる制御信号に基づき、保安回路１０の劣化状態を検出してこの劣化情報を出力する回路であり、この劣化検出回路２０に、制御回路３０を介して無線機４０が接続されている。制御回路３０は、劣化検出回路２０及び無線機４０を制御する回路であり、低消費電力型の１チップマイクロコンピュータ（以下「１チップマイコン」という。）等により構成されている。
【００２４】
無線機４０は、通常の１：１の無線通信方式ではなく、例えば、リアクティブ（Reactive）型又はプロアクティブ(Proactive)型のルーティングプロトコルを用いたアドホック無線通信方式やマルチホップ無線通信方式により、外部から送られてくるデータ要求信号をアンテナ４１で受信し、そのデータ要求信号が自己宛のときには、劣化検出回路２０から出力された劣化情報を外部へ発信し、そのデータ要求信号が自己宛でないときには、受信したデータ要求信号を外部へ転送（中継）する回路であり、小型で低消費電力型の無線回路（例えば、無線周波数は２．４５GHz等、電波到達距離は見通しで１０メートル程度）で構成されている。
【００２５】
図１（Ａ）に示す保安回路１０は、アレスタやバリスタ等の種々の回路で構成され、雷サージを大地に放電するよう動作する回路であり、この回路構成例が図１（Ｂ）に示されている。この図１（Ｂ）の保安回路１０は、線路Ｌ１，Ｌ２間に接続されたアレスタ１１により構成され、このアレスタ１１がアース線Ｇにより大地に接続されている。線路Ｌ１，Ｌ２に雷サージが侵入すると、この雷サージ電流をアース線Ｇにより大地に放電して図示しない設備機器を保護するようになっている。
【００２６】
図１（Ａ）に示す劣化検出回路２０は、ヒューズの断線によって劣化を検出するＺｐ型、或いは、雷サージを受けて動作した動作回数をカウント（計数）して劣化情報としてそのカウント数を表示するサージカウンタ型等、種々の回路で構成され、この回路構成例が図１（Ｃ）に示されている。この図１（Ｃ）の劣化検出回路２０は、Ｚｐ型の回路であり、アース線Ｇにヒューズ２１が直列に接続され、このヒューズ２１に対して並列に、抵抗２２及び電池２３の直列回路が接続されている。この種の劣化検出回路２０では、アレスタ１１が劣化して許容値を超えると、これに接続されたヒューズ２１が切断されるので、ヒューズ２１の両端電圧差である検出電圧Vout＝０からアレスタ１１の劣化状態を検出できる。
【００２７】
図１（Ａ）に示す制御回路３０は、アドホック無線通信方式やマルチホップ無線通信方式の通信プロトコルに従い無線機４０等を制御する回路であり、この回路構成例が図１（Ｄ）に示されている。この図１（Ｄ）の制御回路３０は、１チップマイコンで構成されている。この１チップマイコンには、内部バス３１を有し、この内部バス３１により、中央処理装置（以下「ＣＰＵ」という。）３２、データ格納用の不揮発性メモリ（例えば、２５６バイトの電気的消去可能なEEPROM）３３、アナログ／ディジタル変換器（以下「Ａ／Ｄ変換器」という。）３４、入力ポート３５、及び出力ポート３６が相互に接続されている。
【００２８】
ＣＰＵ３２は、メモリ３３に格納された通信プロトコルに従い、無線機４０を制御するものである。Ａ／Ｄ変換器３４は、ＣＰＵ３２により制御され、劣化検出回路２０から出力された劣化情報であるアナログの劣化検出電圧Vout＝０をディジタル値に変換する回路である。入力ポート３５は、ＣＰＵ３２により制御され、無線機４０で受信されたデータ要求信号等を制御回路３０に入力するものである。出力ポート３６は、ＣＰＵ３２により制御され、制御回路３０の内部データ等を無線機４０へ出力するものである。
【００２９】
（実施例１の動作）
図１（Ｃ）において、高電圧の雷サージが線路Ｌ１，Ｌ２に侵入すると、アレスタ１１が動作し、雷サージ電流がアース線Ｇ及びヒューズ２１を介して大地に放電される。そのため、線路Ｌ１，Ｌ２に接続された図示しない設備機器が雷サージから保護される。アレスタ１１は、動作回数等によって劣化する。このアレスタ１１の劣化状態が許容値を超えると、これに接続されたヒューズ２１が切断される。ヒューズ２１が切断されると、このヒューズ２１の両端電圧差である劣化検出電圧VoutがＥ０になる。
【００３０】
保安器１の劣化情報を収集するために、外部の無線端末等からデータ要求があると、このデータ要求信号がアンテナ４１を介して無線機４０で受信されて復調され、制御回路３０内の入力ポート３５を介してＣＰＵ３２へ送られる。ＣＰＵ３２では、復調されたデータ要求信号に応答してＡ／Ｄ変換器３４を動作させる。Ａ／Ｄ変換器３４により、アナログの劣化検出電圧Vout＝Ｅ０がディジタル値＝１に変換され、このディジタル値＝１がメモリ３３に格納される。ＣＰＵ３２は、メモリ３３に格納されたディジタル値を読み出し、このディジタル値が１のときにアレスタ１１が劣化していることを検出し、この劣化情報を出力ポート３６から出力する。
【００３１】
出力ポート３６から出力された劣化情報は、無線機４０で変調され、アンテナ４１から発信される。この発信信号を外部の無線端末等で受信することにより、遠隔地において保安器１の劣化情報を収集できる。
【００３２】
（実施例１の効果）
保守者は、例えば、保安器１の近傍まで行くことなく遠隔から、手元の無線端末等で保安器１の劣化情報を収集することができ、即座に交換しなければならない保安器１を識別できるので、メンテナンス時間を大幅に短縮できる。特に、劣化検出を外部からのデータ要求があった時に実施するようにすれば、保安器１の劣化抑制、消費電力量の削減、メモリ３３の容量削減等が可能になる。
【実施例２】
【００３３】
図２（Ａ）、（Ｂ）は、本発明の実施例２を示す保安器における保安回路及び劣化検出回路の他の回路構成図であり、同図（Ａ）は保安回路の回路図、及び同図（Ｂ）は劣化検出回路の回路図である。
【００３４】
図２（Ａ）に示す保安回路１０Ａは、アレスタ１１及びバリスタ１２により構成され、このアレスタ１１及びバリスタ１２が線路Ｌ１，Ｌ２間に直列に接続されている。
【００３５】
この種の保安回路１０Ａでは、例えば、線路Ｌ２を大地に接続しておき、線路Ｌ１に侵入した雷サージをアレスタ１１及びバリスタ１２を介して大地に放電するようになっている。このような保安回路１０Ａを図１（Ａ）の保安器１に搭載しても、実施例１の保安器１とほぼ同様の作用効果が得られる。
【００３６】
図２（Ｂ）に示す劣化検出回路２０Ａは、サージカウンタ型の回路であり、アース線Ｇに巻装された雷サージ電流検出用のコイル２４と、このコイル２４で検出された雷サージ電流を検出電圧Voutの形で出力する抵抗２５とで構成されている。
【００３７】
この種の劣化検出回路２０Ａを図１（Ａ）の保安器１に搭載する場合、例えば、検出電圧Voutは、制御回路３０内のＡ／Ｄ変換器３４でディジタル値に変換され、ＣＰＵ３２により、基準値と比較されて動作回数がカウントされ、このカウント値がメモリ３３に格納される。外部からデータ要求があると、ＣＰＵ３２は、メモリ３３内のカウント値を読み出し、このカウント値が許容値を超えているときに、アレスタ１１が劣化していることを検出し、この劣化情報を出力ポート３６から出力する。これにより、実施例１の保安器１と同様の効果が得られる。
【実施例３】
【００３８】
（実施例３の構成）
図３（Ａ）〜（Ｃ）、図４、図５（Ａ）、（Ｂ）、及び図６は、本発明の実施例３を示す保安器の具体的な構造例を示す構成図であり、実施例１、２を示す図１、図２中の要素と共通の要素には共通の符号が付されている。
【００３９】
本実施例３の図３〜図６は、図１（Ａ）の保安器１の具体的な構造例を示すものである。その内、図３（Ａ）〜（Ｃ）は、図１（Ａ）の保安器１の外観の構成図であり、同図（Ａ）は正面図、同図（Ｂ）は平面図、及び同図（Ｃ）は左側面図である。図４は、図３（Ａ）の分離図である。図５（Ａ）、（Ｂ）は、図３（Ａ）の分離図であり、同図（Ａ）は図３（Ａ）の一部切り欠き図、及び同図（Ｂ）は右側面図である。
【００４０】
本実施例３の保安器１は、線路Ｌ１，Ｌ２及びアース線Ｇに接続されるジャック５０と、このジャック５０に対して挿脱自在に挿入されるプラグ７０と、このプラグ７０に対して挿脱自在に挿入される無線制御部９０とにより構成されている。
【００４１】
ジャック５０は、例えば、DINレール２に装着される構成部品収納用のケース体５１を有し、このケース体５１の一側面に開口部が設けられている。ケース体５１内にはプリント基板５２が設けられ、このプリント基板５２上に、端子台５３と、プラグ７０側の端子部を挿入するためのコネクタ５４とが取り付けられている。端子台５３には、線路Ｌ１，Ｌ２、線路Ｔ１，Ｔ２、及びアース線Ｇ，Ｇ用の複数の端子が設けられ、この端子台５３の側面に、端子表示銘板５３ａ及びアース端子表示銘板５３ｂが取り付けられている。ケース体５１の底部側には、アース板５５と、DINレール２に取り付けるためのレールストッパ５６とが設けられ、このレールストッパ５６とアース板５５とが、ばね５７を介して接触している。
【００４２】
プリント基板５２上には、抵抗５８，５９が搭載されると共にアース線６０が接続されている。抵抗５８は、線路Ｌ１用端子と線路Ｔ１用端子との間に接続され、この抵抗５８の両端の電極がコネクタ５４に接続されている。抵抗５９は、線路Ｌ２用端子と線路Ｔ２用端子との間に接続され、この抵抗５９の両端の電極がコネクタ５４に接続されている。アース線６０により、アース線Ｇ，Ｇ用端子とコネクタ５４とが接続されている。これらを収納するケース体５１の開口部は、螺子で固定される蓋６１により閉止される。
【００４３】
プラグ７０は、図１（Ａ）の保安回路１０と劣化検出回路２０の一部とを収納するケース体７１を有し、このケース体７１内にプリント基板７２がタッピン螺子７３により固定されている。プリント基板７２の下端部には、ジャック５０側のコネクタ５４に挿入するための端子部７２ａが突設され、更に、このプリント基板７２の上端部に、無線制御部９０側のコンタクトピンを挿入するためのレセプタクル７４が取り付けられている。プリント基板７２上には、保安回路１０を構成するアレスタ１１と、劣化検出回路２０の一部を構成するヒューズ２１，７５、抵抗７６及びツェナーダイオード７７〜８０とが搭載されている。
【００４４】
アレスタ１１の両端の電極は端子部７２ａに接続されると共に、このアレスタ１１のアース側の電極がヒューズ２１の一方の電極及びこのヒューズ２１の他方の電極を介して端子部７２ａに接続されている。ヒューズ２１の一方の電極は、ヒューズ７５の一方の電極に接続され、このヒューズ７５の他方の電極が、２段直列のツェナーダイオード７７，７８を介して端子部７２ａに接続されると共に、２段直列のツェナーダイオード７９，８０を介して端子部７２ａに接続されている。ヒューズ２１の他方の電極は、抵抗７６を介してレセプタクル７４に接続されると共に、ヒューズ７５の他方の電極がレセプタクル７４に接続されている。
【００４５】
無線制御部９０は、図１（Ａ）の劣化検出回路２０の一部、制御回路３０、無線機４０、及びアンテナ４１を収納するケース体９１を有し、このケース体９１内にプリント基板９２が取り付けられている。プリント基板９２上には、プラグ７０側のレセプタクル７４に挿入するためのコンタクトピン９３と、劣化検出回路２０の一部を構成する電源用の電池２３、抵抗９４〜９６及びコンパレータ回路９７と、制御回路３０と、アンテナ４１付きの無線機４０とが搭載されている。
【００４６】
電池２３の負極はコンタクトピン９３に接続され、この電池２３の正極が、抵抗９４の一方の電極、抵抗９６の一方の電極、コンパレータ回路９７の電源電極、制御回路３０の電源電極、及び無線機４０の電源電極に接続されている。抵抗９４の他方の電極は、抵抗９５を介してコンタクトピン９３に接続されると共に、コンパレータ回路９７の一方の入力端子に接続されている。抵抗９６の他方の電極は、コンタクトピン９３に接続されると共に、コンパレータ回路９７の他方の入力端子に接続されている。コンパレータ回路９７は、２つの入力端子から入力される電圧の差を求め、ヒューズ２１の切断によるアレスタ１１の劣化を検出するための検出電圧Voutを制御回路３０へ出力する回路であり、このコンパレータ回路９７及び制御回路３０が例えば１チップマイコン３０Ａにより構成されている。
【００４７】
（実施例３の動作）
本実施例３の保安器１では、高電圧の雷サージが線路Ｌ１，Ｌ２に侵入すると、アレスタ１１が動作し、雷サージ電流が、ヒューズ２１及びアース線６０，Ｇを介して大地に放電されると共に、ヒューズ７５及びツェナーダイオード７９〜８０を介して線路Ｌ１，Ｌ２へ流れる。そのため、線路Ｌ１，Ｌ２に接続された図示しない設備機器が雷サージから保護される。アレスタ１１の劣化状態が許容値を超えると、これに接続されたヒューズ２１，７５が切断される。ヒューズ２１，７５が切断されると、コンパレータ回路９７の２入力端子間に加わる検出電圧Voutが該コンパレータ回路９７により検出されて保持される。
【００４８】
保安器１の劣化情報を収集するために、外部の無線端末等からデータ要求があると、このデータ要求信号がアンテナ４１を介して無線機４０で受信され、ＣＰＵ３２へ送られる。ＣＰＵ３２では、データ要求信号に応答してＡ／Ｄ変換器３４を動作させる。コンパレータ回路９７に保持されたアナログの検出電圧Voutは、Ａ／Ｄ変換器３４によりディジタル値に変換されてメモリ３３に格納される。ＣＰＵ３２は、メモリ３３に格納されたディジタル値を読み出し、このディジタル値からアレスタ１１が劣化していることを検出し、この劣化情報を出力ポート３６から出力する。この劣化情報は、無線機４０で変調されてアンテナ４１から発信されるので、この発信信号を外部の無線端末等で受信することにより、遠隔地において保安器１の劣化情報を収集できる。
【００４９】
（実施例３の効果）
本実施例３の場合、実施例１と同様の効果が得られる上に、アレスタ１１、ヒューズ２１，７５等を有するプラグ７０が劣化した場合、このプラグ７０をジャック５０から引き抜いて新たなプラグをジャック５０に差し込むだけで、簡単に修理できる。この際、ジャック５０や無線制御部９０が故障していなければ、そのまま使用できるので、無駄が無い。
【実施例４】
【００５０】
（実施例４の構成）
図７〜図９は、実施例１、２又は３の保安器１を用いた本発明の実施例４における保安器劣化検出システムの構成例を示す概略の構成図である。これらの図７〜図９には、例えば、情報機械室内等に設置した複数の保安器１−１〜１−９の劣化情報を操作端末１００を使って収集するときのシステム図が示されている。
【００５１】
図７の保安器劣化検出システムにおいて、各保安器１−１〜１−９は、図１（Ａ）の保安器１と同一の構成であり、操作端末１００からのデータ要求に応答して、アドホック通信プロトコル或いはマルチホップ通信プロトコルを１チップマイコン３０Ａ上で動作させ、メモリ３３に格納した劣化情報（例えば、シリアル番号（Ｓ／Ｎ）、製造年月日、設置年月日、メンテナンス履歴等）を操作端末１００へ発信する機能を有している。メンテナンス履歴には、メンテナンス年月日、劣化検出履歴（ＯＫ／ＮＧ、動作回数であるサージカウント数、或いは漏れ電流値等）、作業者識別（ID）番号等が含まれている。シリアル番号（Ｓ／Ｎ）は、複数の端末が同時に通信を行おうとするので、通信順位を決めるためと、データ管理用に必要である。
【００５２】
操作端末１００は、保安器１−１〜１−９等から送られてくる劣化情報を受信・回収し、回収した劣化情報をシリアル通信コネクタ等を介してパーソナルコンピュータ（以下「パソコン」という。）等へ送信できる携帯装置であり、外側にキーボード等の操作部１０１と液晶画面等の表示部１０２が設けられ、内部に、通信機や、フラッシュメモリ等の不揮発性メモリを有するマイコンで構成された通信制御回路等が設けられている。操作部１０１を操作して特定のシリアル番号（Ｓ／Ｎ）のデータや、通信可能領域であるサービスエリア（以下単に「エリア」という。）内の全保安器１−１〜１−９の劣化情報（ＯＫ、ＮＧ等）を選択・回収し、回収後の劣化情報を表示部１０２の画面に表示できるようになっている。この操作端末１００では、例えば、アドホック通信プロトコル或いはマルチホップ通信プロトコルをマイコン上で動作させ、回収した劣化情報を内部のメモリに格納する。
【００５３】
図８の保安器劣化検出システムでは、例えば、キュービクル等の金属製筐体１１０に収納されている保安器１−４〜１−７には操作端末１００から電波が直接届かないので、中継端末１２０を経由して劣化情報を収集するようになっている。
【００５４】
中継端末１２０は、保安器１−４，・・・の設置場所等の関係で電波が遮断される等によって無線通信が阻害されるときに適当な場所に設置してデータの中継を行う装置であり、他端末との無線通信を行う通信機や、フラッシュメモリ等の不揮発性メモリ（記憶容量は例えば２５６バイト）を有するマイコンからなる通信制御回路等により構成されている。この中継端末１２０では、例えば、アドホック通信プロトコル或いはマルチホップ通信プロトコルをマイコン上で動作させ、保安器１−４，・・・から送られてくる劣化情報を操作端末１００へ送るための中継を行う。中継器１２０内のメモリには、シリアル番号（Ｓ／Ｎ）、製造年月日、設置年月日等が格納されている。
【００５５】
図９の保安器劣化検出システムでは、例えば、情報機械室等の構造上、保安器１−６〜１−９が遮蔽物１１１で遮蔽されて操作端末１００から直接電波が届かない場合でも、途中の保安器１−１，１−４を介して保安器１−６〜１−９の劣化情報を収集できるようになっている。電波障害が生じるときには、遮蔽物１１１付近に中継端末１２０を設置すればよい。
【００５６】
（実施例４の動作）
（１）  操作端末Ａから全保安器Ｂ，・・・，Ｘに対してデータ要求する場合の動作
図１０は、図７における各保安器の処理を示すフローチャートである。図１１（１）〜（６）は、操作端末Ａから全保安器Ｂ，・・・，Ｘに対してデータ要求する場合の説明図である。
【００５７】
図１１（１）において、Ａは操作端末１００、Ｂ〜Ｘは保安器１−１〜１−２３にそれぞれ相当する。操作端末Ａを操作して全保安器Ｂ〜Ｘの劣化情報を収集する場合、操作端末Ａからデータ要求信号を保安器Ｂ，・・・へ発信する。途中の保安器Ｃ，・・・は自分宛のデータ要求なら劣化情報を返し、自分宛でなければ要求番号をメモリ３３に保存して同じデータ要求信号を発信する。
【００５８】
このときの通信データ、フォーマット例は、例えば、下記の通りである。
要求信号   ＋  要求番号＋要求元ID  ＋  要求先ID＋通過経路＋  要求内容
Re(Request；要求)  ０００１    A           ALL（全部）            データ要求
An(Answer；返信)  ０００１    A              D           BC        NG
【００５９】
保安器Ｂ，・・・（又は中継端末）は、例えば、２５６バイトのメモリを持ち、要求番号を保存する。再度同じ要求番号のデータ要求を受け取っても何もしない。
【００６０】
以下、図１０、図１１（１）〜（６）を参照しつつ、詳細に説明する。
先ず、図１１（１）において、操作端末Ａから下記のデータ要求信号を発信すると、この操作端末Ａと同一エリア内に存在する保安器Ｂ，Ｇ，Ｈが受信する。
要求信号   ＋  要求番号＋要求元ID＋要求先ID＋通過経路  ＋  要求内容
Re(Request)    ０００１     A         ALL                   データ要求
【００６１】
要求先がALL（全部）なので、保安器Ｂ，Ｇ，Ｈは自分の劣化情報を返信する。その後、通過経路に自分のIDを付加して同じデータ要求を再発信する。
【００６２】
保安器Ｈでは、図１１（２）に示すように、自分の劣化情報を返信し（図１０のステップＳ１，Ｓ２，Ｓ３，Ｓ５，Ｓ６）、更に、経過情報に自分のID（Ｈ）を付加して再発信する（図１０のステップＳ１，Ｓ２，Ｓ３，Ｓ５，Ｓ６，Ｓ１４，Ｓ７）。
【００６３】
即ち、保安器Ｈは、要求先IDがALLだったので、下記のように、要求先IDに自分のIDを入れ、要求に基づいたデータを入れて返信する。
要求信号   ＋  要求番号＋要求元ID  ＋  要求先ID＋通過経路＋  要求内容
An(Answer)    ０００１     A             H                    Hのデータ
【００６４】
保安器Ｈの返信データは、同一エリア内に存在する操作端末Ａ及び保安器Ｂ，Ｃ，Ｇ，Ｉ，Ｍ，Ｎ，Ｏが受信する。保安器Ｂ，Ｃ，Ｇ，Ｉ，Ｍ，Ｎ，Ｏは、要求信号がAnで、通過経路に自分のIDがないので、何もしない（図１０のステップＳ１，Ｓ２，Ｓ８，Ｓ１０，Ｓ１３）。操作端末Ａは、要求信号がAnで、且つ要求元が自分なので、劣化情報を受け取る。
【００６５】
保安器Ｈは、要求先IDがALLだったので、下記のように、通過経路に自分のIDを入れて再発信する。
要求信号   ＋  要求番号＋要求元ID＋要求先ID＋通過経路  ＋  要求内容
Re(Request)    ０００１     A         ALL         H          データ要求
【００６６】
この保安器Ｈの再発信データは、同一エリア内に存在する操作端末Ａ及び保安器Ｂ，Ｃ，Ｇ，Ｉ，Ｍ，Ｎ，Ｏが受信する。操作端末Ａ及び保安器Ｂ，Ｇは、既に処理した要求番号なので何もしない（図１０のステップＳ１，Ｓ２，Ｓ３，Ｓ４）。保安器Ｃ，Ｉ，Ｍ，Ｎ，Ｏは、要求先がALLなので、自分の劣化情報を返信した後（図１０のステップＳ１，Ｓ２，Ｓ３，Ｓ５，Ｓ６）、自分のIDを通過経路に付加して再発信する（図１０のステップＳ１，Ｓ２，Ｓ３，Ｓ５，Ｓ６，Ｓ１４，Ｓ７）。
【００６７】
保安器Ｏでは、図１１（３）に示すように、自分の劣化情報を返信し（図１０のステップＳ１，Ｓ２，Ｓ３，Ｓ５，Ｓ６）、更に、経過情報に自分のID（Ｏ）を付加して再発信する（図１０のステップＳ１，Ｓ２，Ｓ３，Ｓ５，Ｓ６，Ｓ１４，Ｓ７）。
【００６８】
即ち、保安器Ｏは、要求先IDがALLだったので、下記のように、要求先IDに自分のIDを入れ、要求に基づいたデータを入れて返信する。
要求信号   ＋  要求番号＋要求元ID  ＋  要求先ID＋通過経路＋  要求内容
An(Answer)    ０００１     A             O          H         Oのデータ
【００６９】
保安器Ｏの返信データは、同一エリア内に存在する保安器Ｈ，Ｉ，Ｊ，Ｎ，Ｐ，Ｔ，Ｕ，Ｖが受信する。保安器Ｏは、要求信号がALLなので、要求先IDに自分のIDを入れて返信する。保安器Ｈは、要求信号がAnで、通過経路に自分のIDがあるので、劣化情報をそのまま再発信する（図１０のステップＳ１，Ｓ２，Ｓ８，Ｓ１０，Ｓ１１，Ｓ１２）。保安器Ｉ，Ｊ，Ｎ，Ｐ，Ｔ，Ｕ，Ｖは、要求信号がAnで、通過経路に自分のIDがないので、何もしない（図１０のステップＳ１，Ｓ２，Ｓ８，Ｓ１０，Ｓ１３）。
【００７０】
保安器Ｏは、要求先IDがALLだったので、下記のように、通過経路に自分のIDを入れて再発信する。
要求信号   ＋  要求番号＋要求元ID＋要求先ID＋通過経路  ＋  要求内容
Re(Request)    ０００１     A         ALL        HO          データ要求
【００７１】
この保安器Ｏの再発信データは、同一エリア内に存在する保安器Ｈ，Ｉ，Ｊ，Ｎ，Ｐ，Ｔ，Ｕ，Ｖが受信する。保安器Ｈ，Ｉ，Ｎは、既に処理した要求番号なので何もしない（図１０のステップＳ１，Ｓ２，Ｓ３，Ｓ４）。保安器Ｊ，Ｐ，Ｔ，Ｕ，Ｖは、要求先がALLなので、自分のデータを返信した後（図１０のステップＳ１，Ｓ２，Ｓ３，Ｓ５，Ｓ６）、自分のIDを通過経路に付加して再発信する（図１０のステップＳ１，Ｓ２，Ｓ３，Ｓ５，Ｓ６，Ｓ１４，Ｓ７）。
【００７２】
保安器Ｖでは、図１１（４）に示すように、自分の劣化情報を返信し（図１０のステップＳ１，Ｓ２，Ｓ３，Ｓ５，Ｓ６）、更に、経過情報に自分のID（Ｖ）を付加して再発信する（図１０のステップＳ１，Ｓ２，Ｓ３，Ｓ５，Ｓ６，Ｓ１４，Ｓ７）。
【００７３】
即ち、保安器Ｖは、要求先IDがALLだったので、下記のように、要求先IDに自分のIDを入れ、要求に基づいたデータを入れて返信する。
要求信号   ＋  要求番号＋要求元ID  ＋  要求先ID＋通過経路＋  要求内容
An(Answer)    ０００１     A             V         HO       Vのデータ
【００７４】
保安器Ｖの返信データは、同一エリア内に存在する保安器Ｏ，Ｐ，Ｑ，Ｕ，Ｗが受信する。保安器Ｏは、要求信号がAnで、通過経路に自分のIDがあるので、データをそのまま再発信する（図１０のステップＳ１，Ｓ２，Ｓ８，Ｓ１０，Ｓ１１，Ｓ１２）。保安器Ｐ，Ｑ，Ｕ，Ｗは、要求信号がAnで、通過経路に自分のIDがないので、何もしない（図１０のステップＳ１，Ｓ２，Ｓ８，Ｓ１０，Ｓ１３）。
【００７５】
保安器Ｖは、要求先IDがALLだったので、下記のように、通過経路に自分のIDを入れて再発信する。
要求信号   ＋  要求番号＋要求元ID＋要求先ID＋通過経路  ＋  要求内容
Re(Request)    ０００１     A         ALL       HOV         データ要求
【００７６】
この保安器Ｖの再発信データは、同一エリア内に存在する保安器Ｏ，Ｐ，Ｑ，Ｕ，Ｗが受信する。保安器Ｏ，Ｐ，Ｕは、既に処理した要求番号なので何もしない（図１０のステップＳ１，Ｓ２，Ｓ３，Ｓ４）。保安器Ｑ，Ｗは、要求先がALLなので、自分の劣化情報を返信した後（図１０のステップＳ１，Ｓ２，Ｓ３，Ｓ５，Ｓ６）、自分のIDを通過経路に付加して再発信する（図１０のステップＳ１，Ｓ２，Ｓ３，Ｓ５，Ｓ６，Ｓ１４，Ｓ７）。
【００７７】
保安器Ｗでは、図１１（５）に示すように、自分の劣化情報を返信し（図１０のステップＳ１，Ｓ２，Ｓ３，Ｓ５，Ｓ６）、更に、経過情報に自分のID（Ｗ）を付加して再発信する（図１０のステップＳ１，Ｓ２，Ｓ３，Ｓ５，Ｓ６，Ｓ１４，Ｓ７）。
【００７８】
即ち、保安器Ｗは、要求先IDがALLだったので、下記のように、要求先IDに自分のIDを入れ、要求に基づいたデータを入れて返信する。
要求信号   ＋  要求番号＋要求元ID  ＋  要求先ID＋通過経路＋  要求内容
An(Answer)    ０００１     A             W        HOV      Wのデータ
【００７９】
保安器Ｗの返信データは、同一エリア内に存在する保安器Ｐ，Ｑ，Ｒ，Ｖ，Ｘが受信する。保安器Ｖは、要求信号がAnで、通過経路に自分のIDがあるので、劣化情報をそのまま再発信する（図１０のステップＳ１，Ｓ２，Ｓ８，Ｓ１０，Ｓ１１，Ｓ１２）。保安器Ｐ，Ｑ，Ｒ，Ｘは、要求信号がAnで、通過経路に自分のIDがないので、何もしない（図１０のステップＳ１，Ｓ２，Ｓ８，Ｓ１０，Ｓ１３）。
【００８０】
保安器Ｗは、要求先IDがALLだったので、下記のように、通過経路に自分のIDを入れて再発信する。
要求信号   ＋  要求番号＋要求元ID＋要求先ID＋通過経路  ＋  要求内容
Re(Request)    ０００１     A         ALL       HOVW       データ要求
【００８１】
この保安器Ｗの再発信データは、同一エリア内に存在する保安器Ｐ，Ｑ，Ｒ，Ｖ，Ｘが受信する。保安器Ｐ，Ｑ，Ｖは、既に処理した要求番号なので何もしない（図１０のステップＳ１，Ｓ２，Ｓ３，Ｓ４）。保安器Ｒ，Ｘは、要求先がALLなので、自分の劣化情報を返信した後（図１０のステップＳ１，Ｓ２，Ｓ３，Ｓ５，Ｓ６）、自分のIDを通過経路に付加して再発信する（図１０のステップＳ１，Ｓ２，Ｓ３，Ｓ５，Ｓ６，Ｓ１４，Ｓ７）。
【００８２】
保安器Ｘでは、図１１（６）に示すように、自分の劣化情報を返信し（図１０のステップＳ１，Ｓ２，Ｓ３，Ｓ５，Ｓ６）、更に、経過情報に自分のID（Ｘ）を付加して再発信する（図１０のステップＳ１，Ｓ２，Ｓ３，Ｓ５，Ｓ６，Ｓ１４，Ｓ７）。
【００８３】
即ち、保安器Ｘは、要求先IDがALLだったので、下記のように、要求先IDに自分のIDを入れ、要求に基づいたデータを入れて返信する。
要求信号   ＋  要求番号＋要求元ID  ＋  要求先ID＋通過経路＋  要求内容
An(Answer)    ０００１     A            X        HOVW      Xのデータ
【００８４】
保安器Ｘの返信データは、同一エリア内に存在する保安器Ｑ，Ｒ，Ｗが受信する。保安器Ｗは、要求信号がAnで、通過経路に自分のIDがあるので、データをそのまま再発信する（図１０のステップＳ１，Ｓ２，Ｓ８，Ｓ１０，Ｓ１１，Ｓ１２）。保安器Ｑ，Ｒは、要求信号がAnで、通過経路に自分のIDがないので、何もしない（図１０のステップＳ１，Ｓ２，Ｓ８，Ｓ１０，Ｓ１３）。
【００８５】
保安器Ｘは、要求先IDがALLだったので、下記のように、通過経路に自分のIDを入れて再発信する。
要求信号   ＋  要求番号＋要求元ID＋要求先ID＋通過経路  ＋  要求内容
Re(Request)    ０００１     A         ALL      HOVWX       データ要求
【００８６】
この保安器Ｘの再発信データは、同一エリア内に存在する保安器Ｑ，Ｒ，Ｗが受信する。保安器Ｑ，Ｒ，Ｗは、既に処理した要求番号なので何もしない（図１０のステップＳ１，Ｓ２，Ｓ３，Ｓ４）。
【００８７】
（２）  操作端末Ａから保安器Ｘに対してデータ要求する場合の動作
図１２（１）〜（６）、図１３（１）〜（４）は、操作端末Ａから保安器Ｘに対してデータ要求する場合の説明図である。
【００８８】
先ず、図１２（１）において、操作端末Ａから下記のデータ要求信号を発信すると、この操作端末Ａと同一エリア内に存在する保安器Ｂ，Ｇ，Ｈが受信する。
要求信号  ＋ 要求番号＋要求元ID＋要求先ID＋通過経路  ＋  要求内容
Re(Request)   ０００２    A           X                    データ送信要求
【００８９】
保安器Ｂ，Ｇ，Ｈは自分宛でないので、通過経路に自分のIDを付加して再発信する（図１０のステップＳ１，Ｓ２，Ｓ３，Ｓ５，Ｓ７）。
【００９０】
保安器Ｈでは、図１２（２）に示すように、自分宛の要求ではないので、下記のように、経過経路に自分のID（Ｈ）を付加して再発信する。
要求信号  ＋ 要求番号＋要求元ID＋要求先ID＋通過経路  ＋  要求内容
Re(Request)   ０００２    A           X         H          データ送信要求
【００９１】
この保安器Ｈの再発信データは、同一エリア内に存在する操作端末Ａ及び保安器Ｂ，Ｃ，Ｇ，Ｉ，Ｍ，Ｎ，Ｏが受信する。操作端末Ａ及び保安器Ｂ，Ｇは、既に処理した要求番号なので何もしない（図１０のステップＳ１，Ｓ２，Ｓ３，Ｓ４）。保安器Ｃ，Ｉ，Ｍ，Ｎ，Ｏは、自分宛でないので、通過経路に自分のIDを入れて再発信する（図１０のステップＳ１，Ｓ２，Ｓ３，Ｓ５，Ｓ７）。
【００９２】
保安器Ｏでは、図１２（３）に示すように、自分宛の要求ではないので、下記のように、経過経路に自分のID（Ｏ）を付加して再発信する。
要求信号  ＋ 要求番号＋要求元ID＋要求先ID＋通過経路  ＋  要求内容
Re(Request)   ０００２    A           X        HO         データ送信要求
【００９３】
この保安器Ｏの再発信データは、同一エリア内に存在する保安器Ｈ，Ｉ，Ｊ，Ｎ，Ｐ，Ｔ，Ｕ，Ｖが受信する。保安器Ｈ，Ｉ，Ｎは、既に処理した要求番号なので何もしない（図１０のステップＳ１，Ｓ２，Ｓ３，Ｓ４）。保安器Ｊ，Ｐ，Ｔ，Ｕ，Ｖは、自分宛でないので、通過経路に自分のIDを入れて再発信する（図１０のステップＳ１，Ｓ２，Ｓ３，Ｓ５，Ｓ７）。
【００９４】
保安器Ｖでは、図１２（４）に示すように、自分宛の要求ではないので、下記のように、経過経路に自分のID（Ｖ）を付加して再発信する。
要求信号  ＋ 要求番号＋要求元ID＋要求先ID＋通過経路  ＋  要求内容
Re(Request)   ０００２    A           X       HOV         データ送信要求
【００９５】
この保安器Ｖの再発信データは、同一エリア内に存在する保安器Ｏ，Ｐ，Ｑ，Ｕ，Ｗが受信する。保安器Ｏ，Ｐ，Ｕは、既に処理した要求番号なので何もしない（図１０のステップＳ１，Ｓ２，Ｓ３，Ｓ４）。保安器Ｑ，Ｗは、自分宛でないので、通過経路に自分のIDを付加して再発信する（図１０のステップＳ１，Ｓ２，Ｓ３，Ｓ５，Ｓ７）。
【００９６】
保安器Ｗでは、図１２（５）に示すように、自分宛の要求ではないので、下記のように、経過経路に自分のID（Ｗ）を付加して再発信する。
要求信号  ＋ 要求番号＋要求元ID＋要求先ID＋通過経路  ＋  要求内容
Re(Request)   ０００２    A           X       HOVW        データ送信要求
【００９７】
この保安器Ｗの再発信データは、同一エリア内に存在する保安器Ｐ，Ｑ，Ｒ，Ｖ，Ｘが受信する。保安器Ｐ，Ｑ，Ｖは、既に処理した要求番号なので何もしない（図１０のステップＳ１，Ｓ２，Ｓ３，Ｓ４）。保安器Ｒは、自分宛でないので、通過経路に自分のIDを付加して再発信する（図１０のステップＳ１，Ｓ２，Ｓ３，Ｓ５，Ｓ７）。保安器Ｘは、自分宛なので、要求内容に基づき、データを返信する（図１０のステップＳ１，Ｓ２，Ｓ３，Ｓ５，Ｓ６）。
【００９８】
保安器Ｘでは、図１２（６）に示すように、自分宛の要求なので、下記のように、データ（例えば、1234567890）を付加して返信する。
要求信号  ＋ 要求番号＋要求元ID＋要求先ID＋通過経路  ＋  要求内容
An(Answer)   ０００２    A          X       HOVW         1234567890
【００９９】
この保安器Ｘの返信データは、同一エリア内に存在する保安器Ｑ，Ｒ，Ｗが受信する。保安器Ｗは、要求信号がAnで、通過経路にＷがあるので、そのまま再発信する（図１０のステップＳ１，Ｓ２，Ｓ８，Ｓ１０，Ｓ１１，Ｓ１２）。保安器Ｑ，Ｒは、要求信号がAnで、通過経路に自分のIDがないので、何もしない（図１０のステップＳ１，Ｓ２，Ｓ８，Ｓ１０，Ｓ１３）。
【０１００】
保安器Ｗでは、図１３（１）に示すように、要求信号がAnで、通過経路に自分のIDがあるので、下記のように、そのまま再発信する。
要求信号  ＋ 要求番号＋要求元ID＋要求先ID＋通過経路  ＋  要求内容
An(Answer)   ０００２    A          X       HOVW         1234567890
【０１０１】
この保安器Ｗの再発信データは、同一エリア内に存在する保安器Ｐ，Ｑ，Ｒ，Ｖ，Ｘが受信する。保安器Ｘは、既に処理した要求番号なので何もしない（図１０のステップＳ１，Ｓ２，Ｓ８，Ｓ９）。保安器Ｖは、要求信号がAnで、通過経路に自分のIDがあるので、そのまま再発信する（図１０のステップＳ１，Ｓ２，Ｓ８，Ｓ１０，Ｓ１１，Ｓ１２）。保安器Ｐ，Ｑ，Ｒは、要求信号がAnで、通過経路に自分のIDがないので、何もしない（図１０のステップＳ１，Ｓ２，Ｓ８，Ｓ１０，Ｓ１３）。
【０１０２】
保安器Ｖでは、図１３（２）に示すように、要求信号がAnで、通過経路に自分のIDがあるので、下記のように、そのまま再発信する。
要求信号  ＋ 要求番号＋要求元ID＋要求先ID＋通過経路  ＋  要求内容
An(Answer)   ０００２    A          X       HOVW         1234567890
【０１０３】
この保安器Ｖの再発信データは、同一エリア内に存在する保安器Ｏ，Ｐ，Ｑ，Ｕ，Ｗが受信する。保安器Ｗは、既に処理した要求番号なので何もしない（図１０のステップＳ１，Ｓ２，Ｓ８，Ｓ９）。保安器Ｏは、要求信号がAnで、通過経路に自分のIDがあるので、そのまま再発信する（図１０のステップＳ１，Ｓ２，Ｓ８，Ｓ１０，Ｓ１１，Ｓ１２）。保安器Ｕ，Ｐ，Ｑは、要求信号がAnで、通過経路に自分のIDがないので、何もしない（図１０のステップＳ１，Ｓ２，Ｓ８，Ｓ１０，Ｓ１３）。
【０１０４】
保安器Ｏでは、図１３（３）に示すように、要求信号がAnで、通過経路に自分のIDがあるので、下記のように、そのまま再発信する。
要求信号  ＋ 要求番号＋要求元ID＋要求先ID＋通過経路  ＋  要求内容
An(Answer)   ０００２    A          X       HOVW         1234567890
【０１０５】
この保安器Ｏの再発信データは、同一エリア内に存在する保安器Ｈ，Ｉ，Ｊ，Ｎ，Ｐ，Ｔ，Ｕ，Ｖが受信する。保安器Ｖは、既に処理した要求番号なので何もしない（図１０のステップＳ１，Ｓ２，Ｓ８，Ｓ９）。保安器Ｈは、要求信号がAnで、通過経路に自分のIDがあるので、そのまま再発信する（図１０のステップＳ１，Ｓ２，Ｓ８，Ｓ１０，Ｓ１１，Ｓ１２）。保安器Ｉ，Ｊ，Ｎ，Ｐ，Ｔ，Ｕは、要求信号がAnで、通過経路に自分のIDがないので、何もしない（図１０のステップＳ１，Ｓ２，Ｓ８，Ｓ１０，Ｓ１３）。
【０１０６】
保安器Ｈでは、図１３（４）に示すように、要求信号がAnで、通過経路に自分のIDがあるので、下記のように、そのまま再発信する。
要求信号  ＋ 要求番号＋要求元ID＋要求先ID＋通過経路  ＋  要求内容
An(Answer)   ０００２    A          X       HOVW         1234567890
【０１０７】
この保安器Ｈの再発信データは、同一エリア内に存在する保安器Ｏ，Ｐ，Ｑ，Ｕ，Ｗが受信する。保安器Ｏは、既に処理した要求番号なので何もしない（図１０のステップＳ１，Ｓ２，Ｓ８，Ｓ９）。保安器Ｂ，Ｃ，Ｇ，Ｉ，Ｍ，Ｎは、要求信号がAnで、通過経路に自分のIDがないので、何もしない（図１０のステップＳ１，Ｓ２，Ｓ８，Ｓ１０，Ｓ１３）。操作端末Ａは、要求信号がAnで、要求元がＡなので、劣化情報を受け取って終了する。このようにして、保安器Ｘの劣化情報が操作端末Ａへ送信される。
【０１０８】
（３）  操作端末１００から中継端末１２０−１，・・・を経由したデータ要求の動作
図１４は、操作端末１００から直接又は中継端末（例えば、１２０−１，１２０−２，１２０−３）を経由して保安器Ａ，・・・，Ｘに対してデータ要求する場合の説明図である。
【０１０９】
例えば、操作端末１００から複数の保安器１−１〜１−２４（図１４では符号Ａ〜Ｘで表示されている）に対してデータ要求する場合、これらの複数の保安器Ａ〜Ｘを通信が可能な複数のエリア２００−１〜２００−３に分け、この各エリア２００−１〜２００−３毎に中継端末１２０−１〜１２０−３をそれぞれ設置しておく。
【０１１０】
図１５は、例えば、図１４におけるエリア２００−１内の保安器Ｆの劣化情報の収集を行う場合の処理手順を示すフローチャートである。
【０１１１】
動作が開始され、操作端末１００の画面に保安器Ｆのシリアル番号（Ｓ／Ｎ）を入力して保安器Ｆを選択するか、或いは、その画面に保安器Ａ〜Ｘ（又はシリアル番号）の一覧表を表示させてそこから保安器Ｆを選択する（ステップＳ２０）。すると、操作端末１００から、保安器Ｆが反応するデータ要求信号が発信される（ステップＳ２１）。データ要求信号の到達範囲はエリア２００−１であり、このエリア２００−１内に存在する保安器Ｆが応答し、該保安器Ｆから操作端末１００に向けて劣化情報が返信される（ステップＳ２２）。このとき、エリア２００−１内の他の保安器Ａ〜Ｅ，Ｇ，Ｈ及び中継器１２０−１は、応答しない。保安器Ｆからの返信に操作端末１００が反応し、この操作端末１００の表示部１０２に保安器Ｆの劣化情報が表示され（ステップＳ２３）、動作が終了する。
【０１１２】
図１６は、例えば、図１４におけるエリア２００−２内の保安器Ｌの劣化情報の収集を行う場合の処理手順を示すフローチャートである。
【０１１３】
動作が開始され、操作端末１００の画面に保安器Ｌのシリアル番号（Ｓ／Ｎ）を入力して保安器Ｌを選択するか、或いは、その画面に保安器Ａ〜Ｘ（又はシリアル番号）の一覧表を表示させてそこから保安器Ｌを選択する（ステップＳ３０）。すると、操作端末１００から、保安器Ｌが反応するデータ要求信号が発信される（ステップＳ３１）。データ要求信号の到達範囲のエリア２００−１内に保安器Ｌが存在しないので、操作端末１００には応答がこない（ステップＳ３２）。
【０１１４】
操作端末１００は、エリア２００−１内の中継端末１２０−１を探索する無線信号を発信する（ステップＳ３３）。すると、中継端末１２０−１が反応し、無線信号を操作端末１００へ返信する（ステップＳ３４）。操作端末１００は、中継端末１２０−１に対して保安器Ｌを探索するよう指示信号を発信する（ステップＳ３５）。中継端末１２０−１は、保安器Ｌを探索する無線信号を発信する（ステップＳ３６）。これにより、保安器Ｌが反応し、劣化情報を中継端末１２０−１へ返信する（ステップＳ３７）。
【０１１５】
中継端末１２０−１は、保安器Ｌの劣化情報を操作端末１００へ送信する（ステップＳ３８）。中継端末１２０−１からの返信に操作端末１００が反応し、この操作端末１００の表示部１０２に保安器Ｌの劣化情報が表示され（ステップＳ３９）、動作が終了する。
【０１１６】
図１７は、例えば、図１４におけるエリア２００−３内の保安器Ｒの劣化情報の収集を行う場合の処理手順を示すフローチャートである。
【０１１７】
動作が開始され、操作端末１００の画面に保安器Ｒのシリアル番号（Ｓ／Ｎ）を入力して保安器Ｒを選択するか、或いは、その画面に保安器Ａ〜Ｘ（又はシリアル番号）の一覧表を表示させてそこから保安器Ｒを選択すると、操作端末１００から、保安器Ｒが反応するデータ要求信号が発信される（ステップＳ４０）。データ要求信号の到達範囲のエリア２００−１内に保安器Ｒが存在しないので、操作端末１００には応答がこない。操作端末１００は、エリア２００−１内の中継端末１２０−１を探索する無線信号を発信する（ステップＳ４１）。
【０１１８】
中継端末１２０−１が反応し、無線信号を操作端末１００へ返信するので、操作端末１００は、中継端末１２０−１に対して保安器Ｒを探索するよう指示信号を発信する（ステップＳ４２）。中継端末１２０−１は、保安器Ｒを探索する無線信号を発信する（ステップＳ４３）。中継端末１２０−１のエリア２００−２内に保安器Ｒが存在しないので、その中継端末１２０−１の無線信号に対して保安器Ｒが反応しない（ステップＳ４４）。
【０１１９】
中継端末１２０−１は操作端末１００へ、保安器Ｒが無い旨を返信する（ステップＳ４５）。操作端末１００は中継端末１２０−１へ、エリア２００−２内の中継端末１２０−２の探索を指示する無線信号を発信する。中継端末１２０−１は、中継端末１２０−２を探索するための無線信号を発信する（ステップＳ４６）。これにより、中継端末１２０−２が反応し、無線信号を中継端末１２０−１へ返信する（ステップＳ４７）。中継端末１２０−１は操作端末１００に対し、中継端末１２０−２があった旨を返信する（ステップＳ４８）。
【０１２０】
操作端末１００は中継端末１２０−１に対し、「中継端末１２０−２により保安器Ｒを探索するよう」指示信号を発信する（ステップＳ４９）。中継端末１２０−１は中継端末１２０−２に対し、保安器Ｒを探索するよう指示信号を発信するので、中継端末１２０−２がエリア２００−３内の保安器Ｒを探索するための無線信号を発信する（ステップＳ５０）。
【０１２１】
保安器Ｒが応答し、劣化情報を中継端末１２０−２へ発信するので、この中継端末１２０−２がその劣化情報を中継端末１２０−１へ送信する（ステップＳ５１）。中継端末１２０−１は、保安器Ｒの劣化情報を操作端末１００へ送信する（ステップＳ５２）。中継端末１２０−１からの返信に操作端末１００が反応し、この操作端末１００の表示部１０２に保安器Ｒの劣化情報が表示され（ステップＳ５３）、動作が終了する。
【０１２２】
（実施例４の効果）
（ａ）  例えば、図７のような保安器劣化検出システムにおいて、保守者から１：１の無線通信で全ての保安器１−１，１−２，・・から劣化情報を収集することも可能であるが、このようなシステムでは、図８や図９のように、無線の届きにくい所に保安器１−４，・・・がある場合、劣化情報の収集漏れが懸念される。そこで本実施例４では、複数箇所に配設された無線通信機能を有する保安器１−１，１−２，・・・に対し、保守者（利用者）が持つ操作端末１００からアドホック通信或いはマルチホップ通信を行って全ての保安器１−１，１−２，・・・の劣化情報を収集するようにしている。そのため、途中の保安器１−２，・・・を経由して情報が届くので、劣化情報の収集漏れの危険が大幅に少なくなる。
【０１２３】
（ｂ）  図８のような金属製筐体１１０内に配設された保安器１−４，・・・には、外部から電波が届かないので、中継端末１２０を金属製筐体１１０に配置することで、無線通信が可能となる。又、金属製筐体１１０内に限らず、１：１の通常の無線通信では、図９のような装置、壁等の遮蔽物１１１の陰になって無線通信ができないときでも、本実施例４のようなアドホック通信或いはマルチホップ通信では、周囲の保安器１−１，・・・の電波によって無線通信が成功する確率が向上する。
【０１２４】
（ｃ）  一部の保安器１−２，・・・が過大な雷サージ等で故障したとしても、他の保安器１−５，・・・を経由して情報を収集できるので、比較的簡単な構成でありながら、システムの信頼性を向上でき、効率良く、保安器１−１，・・・からの劣化情報を収集できる。
【０１２５】
なお、本発明は、上記実施例１〜４に限定されず、種々の変形が可能である。この変形例としては、例えば、次の（Ａ）〜（Ｃ）のようなものがある。
【０１２６】
（Ａ）    実施例１〜３の保安器１は、図示以外の構成に種々変更可能である。例えば、図６において、ジャック５０、プラグ７０、及び無線制御部９０の各回路を図示以外の回路構成に変更したり、抵抗９４〜９６をプラグ７０側に設けたり、或いは、プラグ７０及び無線制御部９９を一体化してジャック５０に対して挿脱自在の構成にしたりしても良い。
【０１２７】
（Ｂ）  実施例４では、アドホック通信或いはマルチホップ通信により劣化情報を伝送するようにしたが、その動作フローも図示以外の処理手順に変更したり、或いは、効率的な通信方式であれば、種々のアルゴリズムに変更が可能である。
【図面の簡単な説明】
【０１２８】
【図１】本発明の実施例１を示す劣化状態検出機能付きの保安器の概略の構成図である。
【図２】本発明の実施例２を示す保安器における保安回路及び劣化検出回路の他の回路構成図である。
【図３】本発明の実施例３を示す保安器の具体的な構造例を示す構成図である。
【図４】図３（Ａ）の分離図である。
【図５】図３（Ａ）の分離図である。
【図６】本発明の実施例３を示す保安器の具体的な構造例を示す構成図である。
【図７】本発明の実施例４における保安器劣化検出システムの構成例を示す概略の構成図である。
【図８】本発明の実施例４における保安器劣化検出システムの構成例を示す概略の構成図である。
【図９】本発明の実施例４における保安器劣化検出システムの構成例を示す概略の構成図である。
【図１０】図７における各保安器の処理を示すフローチャートである。
【図１１】操作端末Ａから全保安器Ｂ，・・・，Ｘに対してデータ要求する場合の説明図である。
【図１２】操作端末Ａから保安器Ｘに対してデータ要求する場合の説明図である。
【図１３】操作端末Ａから保安器Ｘに対してデータ要求する場合の説明図である。
【図１４】操作端末１００から直接又は中継端末を経由して保安器Ａ，・・・，Ｘに対してデータ要求する場合の説明図である。
【図１５】図１４におけるエリア２００−１内の保安器Ｆの劣化情報の収集を行う場合の処理手順を示すフローチャートである。
【図１６】図１４におけるエリア２００−２内の保安器Ｌの劣化情報の収集を行う場合の処理手順を示すフローチャートである。
【図１７】図１４におけるエリア２００−３内の保安器Ｒの劣化情報の収集を行う場合の処理手順を示すフローチャートである。
【符号の説明】
【０１２９】
１，１−１，１−２，・・・        保安器
１０，１０Ａ      保安回路
１１      アレスタ
１２      バリスタ
２０，２０Ａ      劣化検出回路
３０      制御回路
４０      無線機
１００      操作端末
１２０，１２０−１，１２０−２，１２０−３      中継端末
【図１】
2007071845.tif 000003
【図２】
2007071845.tif 000004
【図３】
2007071845.tif 000005
【図４】
2007071845.tif 000006
【図５】
2007071845.tif 000007
【図６】
2007071845.tif 000008
【図７】
2007071845.tif 000009
【図８】
2007071845.tif 000010
【図９】
2007071845.tif 000011
【図１０】
2007071845.tif 000012
【図１１】
2007071845.tif 000013
【図１２】
2007071845.tif 000014
【図１３】
2007071845.tif 000015
【図１４】
2007071845.tif 000016
【図１５】
2007071845.tif 000017
【図１６】
2007071845.tif 000018
【図１７】
2007071845.tif 000019